(57)【要約】      （修正有）【課題】迅速な作業を可能にし、耐久力を有するボルトを提供する。【解決手段】ボルトの軸部に鉄プラス強化プラスチックを使用し、クランク角２４°〜２７°のネジ山を有する。ボルト頭部１全体でネジを回すのでは無く、１辺７ｍｍ穴深さ４．５ｍｍの正三角形４、Φ６ｍｍ穴深さ４．５ｍｍの円２に工具を当て、左の方向に回してボルトをしめる。【選択図】図１
0003214888.tif 000002
【実用新案登録請求の範囲】
【請求項１】
ボルトの軸部に鉄プラス強化プラスチックを使用し、クランク角２４°―２７°のねじ山を有し、迅速且つ合理的に行う事が可能となるものである。
【請求項２】
ステンレス鋼を使用し、１〜６そ性素材を示し、荷重が加わる許容値が１〜３ｔ程ボルトネジで有る。
【請求項３】
半円角形ボルトはステンレス鋼プラスＦＲＰを使用耐久力が長期に渡り持続するのである。
【請求項４】
１、ボルト頭部全体でネジを回すので無く、１辺７ｍｍ
0003214888.tif 000009
を当て、左の方面に回わしてボルトをしめるのである。
【請求項５】
繊維強化ゴムを１、５、６に使用し、クッションの様な働きを利用するボルトである。
【請求項６】
又５、６ボルト軸にクランク２７°〜３５°のネジの谷と山にナット７、φ７ｍｍ  ５５ｍｍを使用するとボルト軸とナットが歯車の様なかみ合わせを持ち、クランク角ならではのすぐれた特性があるのである。
【請求項７】
ゲルマニウム素材を使用することでクランク角２４°―２７°の切れは最高で金属片のカスやゴミが全く付着しないのである。
【請求項８】
ＳｉＣ半導体ボルトは、２万Ｖの電圧に耐え、ダイアモンドのような非常にかたく、丈夫であり、サビや腐食に強いのである。
【請求項９】
２、４はフェライト磁石を使用、又ボルト軸部に円錐形をほどこすことにより水圧に対する備えに非常にすぐれているのである。
【請求項１０】
ボルト７、ナットにみぞを１２時と６時方向にほどこし、弾性素材を示すものである。半円角形ボルトの頭部はそ性を示すものである。
【請求項１１】
ボルト軸部にＦＲＰを使用する事で悪鉛メッキボルトとは異なり、人体にやさしいボルトネジが約そくされるのである。強度の面でもすぐれ、軽量、小型、安価が約そくされるのである。
【考案の詳細な説明】
【０００１】本考案は、ボルトに鉄プラス強化プラスチックを設けた、ボルに関するものである。
【背景技術】
【０００２】数学的に、第Ｉ象限、第ＩＩ象限、φ３０ｍｍの半円で横２５ｍｍたて３０ｍｍの角形とは別々に成って居た。
【先行技術文献】
【特許文献】
【０００３】
【特許文献１】
【０００４】
【非特許文献】
【考案の概要】
【考案が解決しようとする課題】
【０００５】１、半円  φ３０ｍｍによる労力も大きく、また、スペースも必要になる。４、１辺  ７ｍｍの正三角形２、φ６ｍｍの円とこの機能を一体化することにより、作業能率を上げるようにしたボルトである。
【課題を解するため手段】
【０００６】本考案は、ボルト本体に半円と角形を設け、ボルト頭部に正三角形の工具を用いネジしめが自在となるようにし  ボルトの軸部に鉄プラス強化プラスチックを使用しクランク角２４°―２７°のネジ山を有し、迅速且つ合理的に行う事が可能となるものである。
【考案の効果】
【０００７】上述の様に本考案の半円角形ボルトはボルト本体に工具を使用することは勿論、負荷に対する荷重はそ性により、時計方向とは逆回わりの左ネジである。
【図面の簡単な説明】
【０００８】
【図１】本考案の半円角形ボルトの実施例を示す平面図である。
【図２】本ボルトの側面図である。
【考案を実施するための形態】
【０００９】ボルト本体、頭部  ２、φ６ｍｍ、４  １辺７ｍｍの正三
0003214888.tif 000003
回わしボルトを固定して、ネジをゆるめたりすることも自在である。
【００１０】ボルト軸φ６ｍｍ、２４°―２７°のクランク角を持つネジである。
１、全体の大きさが６０ｍｍ、ボルト軸５、はそ性を示すものである。
【００１１】
0003214888.tif 000004
半円と半台形型のボルトを指し、そ性を示すものである。
【００１２】本考案の実施例は上述の如き構成からなるものであるから、ボルト本体１  φ３０ｍｍを左ネジにより、左へ切ればボルト本体はほとんどゆるむことがないのである。
【００１３】食料品、工業製品、印刷業、医学用、リハビリテーションでの応用があり、多種多様に使用されるのである。
【００１４】１〜６に素材としてステンレス鋼が使用されると、非常に丈夫で、耐久力、持続力が約束されるのである。
【００１５】５、クランク角２４°―２７°の角度にすることで非常にすぐれたネジの切れ味、ネジをいためない素材があるのである。
ネジの谷からネジの山の角がクランク角をなすものである。
【００１６】５、クランク角が左右、上下にネジが切れて行く、ネジの持つ本来の切れかすは全く無いのである。ゴミやかすが付くことが全く無くネジのめネジ、雄ネジはとても良いのである。
【００１７】自動車、油圧関係、輪送関係、土木・建築関係、その他の部類に使用され、本考案半円角形ボルトが必要に成ってくるのである。
【００１８】繊維強化ゴム１、５、６に使用するとボルト本来の特性の良さも大変良く持続するのである。たとえば自動車のフロント、リヤーガラス、排気管の接続部にこのようなゴムを使用するとボルト本来の特性が良くなるのである。
【００１９】ＦＲＰをこのボルトに使用すると、耐久力、耐久性、丈夫であり、ボルトの強い摩擦熱しょう撃から守られ、且つ性能も向上するのである。
【００２０】１〜６、そ性素材を示し耐久力の点である点で維持され、ある点で荷重が加わり過ぎた時点でこのボルト本体は折れ曲がるのである。
【００２１】この荷重が１ｔ〜数ｔとほんのわずかな最後の耐久力であり、金属素材の使用には技術をようするのである。
水圧の強い部類には、ステンレス鋼ＳＵＳ３０４を使用するのである。
【００２２】本考案半円型角形ボルトを使用するには、ステンレス鋼プラスＦＲＰを用いて使用することで耐久力が持続するのである。
又、ステンレス鋼に６のクランク角２４°−２７°を使用し、抜郡のい力を発するのである。
【００２３】
0003214888.tif 000005
２、φ６ｍｍに対して専用の工具を使用するのである。
１、φ３０ｍｍ  全ｌ６０ｍｍの大きさのボルト頭部である。
【００２４】２、４はフェライト磁石を使用、安定性、静音性、迅速で作業を終えることができ、且つ合理的である。
0003214888.tif 000006
合に面どうな工具さがしがいらないのである。
【００２５】円錐状のボルトネジであると、水圧の強い部分には必要不可欠である。半円と角形の中にはめ込むように使用し、６、φ６ｍｍを円錐状にする事で負荷に対する水圧に耐えるのである。
【００２６】ボルトネジは各種の機械の運動や位置決めなどでも欠かせないもので、ある。７、ナットφ７ｍｍ  ５５ｍｍナットにみぞを時計１２、６にみぞをほどこすのである。
【００２７】７、ナットφ７ｍｍ  ５５ｍｍに１２、６の時計の針方向にみぞを作ると水圧に対する水流を良くするのである。
【００２８】７、弾性素材を示し、目的に応じて、非常に耐久力も増し持続するのである。
本考案半円型角形ボルトは、そ性素材と弾性素材を同時に持つものである。
【００２９】７、φ７ｍｍ  ５５ｍｍナットは内表面にねじ山のある雌ねじがあり雄ねじと雌ねじの組み合わせで、木材、部材にも使用されるのである。
【００３０】又このボルトは時計のぜんまいネジの一部にも使用されるのである。長方形の一対角を直線で結び、この長方形を巻いて円筒とした時、対角線はつる巻き線と呼ばれる三次元曲線を描く。
ねじは、このつる巻き線に沿って溝を形成したものである。
【００３１】左ネジを使用し、右回転をするネジに対し、右ネジ回わしを使用するとネジが物理的に緩む可能性があり、これに対して、左ネジで右回転をさせる物体には、全く良い道理が合うのである。
【００３２】その上サビが無く、大変音も静かに成るのである。静音設計が必要不可欠な場所には大変有効である。
【００３３】又ＳｉＣ半導体素材をこのボルトに使用すると２万Ｖの電圧に耐え原子力発電所１〜２期分の電気エネルギー節約に成るのである。
【００３４】７、６、２４°−２７°のクランク角を持つネジの谷と山によりネシのカスゴミなどが無く、すぐれたネジの切れ味を意味するのである。
【００３５】ＳｉＣ半導体を使用すると、ボルト自体はダイアモンドの様に非常にかたく、丈夫であり、サビや腐しょくに強いのである。
【００３６】又、この素材を使用すると必要以上の重い荷重に耐え抜き、５のボルトの軸が決して折れ曲がる事が無いのである。
【００３７】本考案半円角形ボルトは物理学的な事からするとバランスと安定性があり大変良いボルトである。
つり合いの取れたボルト頭部とボルトの軸から成るものである。
【００３８】１、ボルト頭部６０ｍｍ  直径が１／２ｍｍ、ボルト軸φ６ｍｍ  ６、    ５のボルト軸クランク角２４°−２７°  ７φ７ｍｍ  ５５ｍｍナットがネジのカス、ゴミが付着する事が無く、すぐれたボルトネジである。
【００３９】ＦＲＰはステンレスに比かくすると圧縮、引張りの点ではわずかに少いが強化プラスチックとしては最高の素材である。
【００４０】５、６ボルト軸とナットにゲルマニウム素材を使用するとクランク角２４°−２７°の切れ味は最高である。
ボルト軸の歯こぼれひとつなくて済むのである。
【００４１】又、絶縁性も他の素材と変わらぬ程に大変すぐれているのである。導体と絶縁体の中間に有る中間素材の半導体である。
【００４２】５、６ボルト軸にクランク角２７°−３５°のネジの谷と山にナット７、φ７ｍｍ  ５５ｍｍを使用するとボルト軸とナットが歯車の様なかみ合わせを持ち、すぐれたクランク角をすボルトである。
【符号の説明】
【００４３】１  半円φ３０ｍｍ（ボルト頭部）
0003214888.tif 000007
３  台形（角形）３０ｍｍ×２５ｍｍ（ボルト頭部）
0003214888.tif 000008
５  クランク角２４°−２７°  ５６ｍｍ
７  ナットφ７ｍｍ  ５５ｍｍ
［配列表フリーテキスト］
［配列表］
【図１】
0003214888.tif 000010
【図２】
0003214888.tif 000011
【手続補正書】
【提出日】平成29年8月10日(2017.8.10)
【手続補正１】
【補正対象書類名】実用新案登録請求の範囲
【補正対象項目名】全文
【補正方法】変更
【補正の内容】
【実用新案登録請求の範囲】
【請求項１】
ボルトの軸部に鉄プラス強化プラスチックを使用し、クランク角２４°〜２７°のネジ山を有することを特徴とするボルト。
【請求項２】
ステンレス鋼を使用し、１〜６はそ性素材を示し、荷重が加わる許容値が１〜３ｔ程であることを特徴とする請求項1に記載のボルト。
【請求項３】
半円角形ボルトはステンレス鋼プラスＦＲＰを使用し、耐久力が長期に渡り持続することを特徴とする請求項１又は２に記載のボルト。
【請求項４】
１、ボルト頭部全体でネジを回すのでは無く、１辺７ｍｍ正三角形穴深さ４．５ｍｍ  ２、Φ６ｍｍ穴深さ４．５ｍｍに工具を当て、左の方向に回してボルトをしめることを特徴とする請求項１〜３に記載のボルト。
【請求項５】
繊維強化ゴムを１、５、６に使用し、クッションの様な働きを利用することを特徴とする請求項１〜４に記載のボルト。
【請求項６】
５、６ボルト軸にクランク２７°〜３５°のネジの谷と山にナット７、Φ７ｍｍ  ５５ｍｍを使用するとボルト軸とナットが歯車のようなかみ合わせを持ち、クランク角ならではのすぐれた特性があることを特徴とする請求項１〜５に記載のボルト。
【請求項７】
ゲルマニウム素材を使用することでクランク角２４°〜２７°の切れは最高で金属片のカスやゴミが全く付着しないことを特徴とする請求項１〜６に記載のボルト。
【請求項８】
ＳＩＣ半導体を使用し、２万Ｖの電圧に耐え、ダイアモンドのような非常にかたく、丈夫であり、サビや腐食に強いことを特徴とする請求項１〜７に記載のボルト。
【請求項９】
２、４はフェライト磁石を使用、又ボルト軸部に円錐形をほどこすことにより水圧に対する備えに非常にすぐれていることを特徴とする請求項１〜８に記載のボルト。
【請求項１０】
弾性素材を使用したボルト  ７、ナットにみぞを１２時と６時方向にほどこし、半円角形ボルトの頭部はそ性素材を使用したことを特徴とする請求項１〜９に記載のボルト。
【請求項１１】
ボルト頭部にＦＲＰを使用する事で悪鉛メッキボルトとは異なり、人体にやさしく、強度の面でもすぐれ、軽量、小型、安価が約そくされることを特徴とする請求項１〜１０に記載のボルト。
【手続補正２】
【補正対象書類名】明細書
【補正対象項目名】０００９
【補正方法】変更
【補正の内容】
【０００９】
ボルト本体、頭部  ２、Φ６ｍｍ、４、１辺７ｍｍの正三角形に穴深さ４．５ｍｍに工具を当て固定し、ネジを左方向に回わしボルトを固定して、ネジをゆるめたりすることも自在である。
【手続補正３】
【補正対象書類名】明細書
【補正対象項目名】００１１
【補正方法】変更
【補正の内容】
【００１１】
４、１辺７ｍｍ正三角形穴深さ４．５ｍｍ  １、ボルト頭部Φ３０ｍｍ、半円と半台形型のボルトを指し、そ性を示すものである。
【手続補正４】
【補正対象書類名】明細書
【補正対象項目名】００２３
【補正方法】変更
【補正の内容】
【００２３】
１、この形の工具を使用せず、４、１辺７ｍｍ正三角形穴深さ４．５ｍｍ  
２、Φ６ｍｍに対して専用の工具を使用するのである。
１、Φ３０ｍｍ  全l６０ｍｍの大きさのボルト頭部である。
【手続補正５】
【補正対象書類名】明細書
【補正対象項目名】００２４
【補正方法】変更
【補正の内容】
【００２４】
２、４、はフェライト磁石を使用、安定性、静音性、迅速で作業を終えることができ、且つ合理的である。４、穴深さ４．５ｍｍで、工具の落下が無く、ゆかに工具が落ちた場合に面どうな工具さがしがいらないのである。
【手続補正６】
【補正対象書類名】明細書
【補正対象項目名】００４３
【補正方法】変更
【補正の内容】
【００４３】
１      半円  φ３０ｍｍ
２      φ６ｍｍ  穴深さ４．５ｍｍ
３      台形（角形）３０ｍｍ×２５ｍｍ
４      １辺７ｍｍ正三角形  穴深さ４．５ｍｍ
５      クランク角２４°〜２７°  ５６ｍｍ
７      ナット  φ７ｍｍ  ５５ｍｍ
【手続補正書】
【提出日】平成29年11月29日(2017.11.29)
【手続補正１】
【補正対象書類名】実用新案登録請求の範囲
【補正対象項目名】全文
【補正方法】変更
【補正の内容】
【実用新案登録請求の範囲】
【請求項１】
ボルトの軸部に鉄プラス強化プラスチックを使用し、クランク角２４°〜２７°のネジ山を有することを特徴とするボルト。
【請求項２】
前記鉄プラス強化プラスチックに代えてステンレス鋼を使用することにより、そ性を示し、荷重が加わる許容値が１〜３ｔであることを特徴とする請求項1に記載のボルト。
【請求項３】
前記鉄プラス強化プラスチックに代えてステンレス鋼プラスＦＲＰを使用し、耐久力が長期に渡り持続することを特徴とする請求項１に記載のボルト。
【請求項４】
ボルト頭部全体でネジを回すのでは無く、１辺７ｍｍ穴深さ４．５ｍｍの正三角形（４）  、Φ６ｍｍ穴深さ４．５ｍｍの円（２）に工具を当て、左の方向に回してボルトをしめることを特徴とする請求項１〜３のいずれか一項に記載のボルト。
【請求項５】
前記鉄プラス強化プラスチックに代えて繊維強化ゴムを使用し、クッションの様な働きを利用することを特徴とする請求項１に記載のボルト。
【請求項６】
前記クランク角２４°〜２７°のネジ山に代えてボルト軸にクランク２７°〜３５°としたネジ山にΦ７ｍｍのナット（７）を使用するとボルト軸とナットが歯車のようなかみ合わせを持ち、クランク角ならではのすぐれた特性があることを特徴とする請求項１に記載のボルト。
【請求項７】
前記鉄プラス強化プラスチックに代えてゲルマニウム素材を使用することでクランク角２４°〜２７°の切れは最高で金属片のカスやゴミが全く付着しないことを特徴とする請求項１に記載のボルト。
【請求項８】
前記鉄プラス強化プラスチックに代えてＳＩＣ半導体を使用し、２万Ｖの電圧に耐え、ダイアモンドのような非常にかたく、丈夫であり、サビや腐食に強いことを特徴とする請求項１に記載のボルト。
【請求項９】
前記鉄プラス強化プラスチックに代えてフェライト磁石を使用、又ボルト軸部に円錐形をほどこすことにより水圧に対する備えに非常にすぐれていることを特徴とする請求項１に記載のボルト。
【請求項１０】
前記鉄プラス強化プラスチックに代えて弾性素材を使用したボルト  、弾性素材を使用したナット（７）にみぞを１２時と６時方向にほどこし、半円角形ボルトの頭部はそ性素材を使用したことを特徴とする請求項１に記載のボルト。
【請求項１１】
ボルト頭部にＦＲＰを使用する事で悪鉛メッキボルトとは異なり、人体にやさしく、強度の面でもすぐれ、軽量、小型、安価が約そくされることを特徴とする請求項１に記載のボルト。